(57)【要約】【課題】バックライト方式の液晶パネルを両面に備え、両液晶パネルのバックライトを共通化し、反対側の液晶パネルから入射する外光の映り込みを防止可能な液晶表示装置を提供する。【解決手段】両面型の液晶表示装置１００において、内部若しくは外部から入力された映像信号を受付ける映像信号入力手段と、上記映像信号入力手段が受付けた映像信号に基づき、前面の液晶パネルを駆動するための第１駆動信号を生成する第１駆動信号生成手段と、上記映像信号入力手段が受付けた映像信号に基づき、後面の液晶パネルを駆動するための第２駆動信号を生成する第２駆動信号生成手段と、を備え、上記第１駆動信号と上記第２駆動信号は、映像データと黒データが交互に配置された信号であり、上記第１駆動信号と上記第２駆動信号とでは、映像データと黒データの配置されるタイミングが互いに逆とする。【選択図】図６
2009300583.tif 000002
【特許請求の範囲】
【請求項１】
前後両面に液晶パネルを配置され、各液晶パネルの間にバックライトが配置され、該バックライトが両液晶パネルの背面に光を照射し、各液晶パネルの表示面に映像を形成する液晶表示装置において、
映像信号を入力する映像信号入力手段と、
上記映像信号入力手段にて入力された映像信号に基づき、前面の液晶パネルを駆動するための第１駆動信号を生成する第１駆動信号生成手段と、
上記映像信号入力手段にて入力された映像信号に基づき、後面の液晶パネルを駆動するための第２駆動信号を生成する第２駆動信号生成手段と、
を備え、
上記第１駆動信号と上記第２駆動信号は、１画面毎に映像データと黒データが交互に配置された信号であり、上記第１駆動信号において映像データが配置された期間は上記第２駆動信号に黒データが配置され、上記第１駆動信号において黒データが配置された期間は上記第２駆動信号に映像信号が配置されることを特徴とする液晶表示装置。
【請求項２】
上記第１駆動信号と上記第２駆動信号は、１フレーム毎に映像データと黒データが交互に配置される信号である請求項１に記載の液晶表示装置。
【請求項３】
上記第１駆動信号と上記第２駆動信号は、１フィールド毎に映像データと黒データが交互に配置される信号である請求項１に記載の液晶表示装置。
【請求項４】
上記第１駆動信号生成手段と上記第２駆動信号生成手段は、上記映像信号入力手段が受付けた映像信号の動作クロックの倍速で上記液晶パネルを駆動する駆動信号を生成する請求項１〜請求項３の何れか一項に記載の液晶表示装置。
【請求項５】
上記第１の液晶パネルに上記映像データを表示する際は、上記第１駆動信号に含まれる１画面分の映像信号の輝度情報を取得し、該輝度情報に基づいて上記映像信号の輝度及びコントラストを調整し、該輝度情報に基づいて上記バックライトの輝度を調整し、上記第２の液晶パネルに上記映像データを表示する際は、上記第２駆動信号に含まれる１画面分の映像信号の輝度情報を取得し、該輝度情報に基づいて上記映像信号の輝度及びコントラストを調整し、該輝度情報に基づいて上記バックライトの輝度を調整する輝度調整手段を更に備える請求項１〜請求項４の何れか一項に記載の液晶表示装置。
【請求項６】
上記第１の液晶パネルに映像表示する際は、上記第１駆動信号に含まれる１画面分の映像信号の輝度情報を取得し、該輝度情報に基づいて上記映像信号の輝度及びコントラストを調整し、該輝度情報に基づいて上記バックライトの輝度を調整し、上記第２の液晶パネルに映像表示する際は、上記第２駆動信号に含まれる１画面分の映像信号の輝度情報を取得し、該輝度情報に基づいて上記映像信号の輝度及びコントラストを調整し、該輝度情報に基づいて上記バックライトの輝度を調整する輝度調整手段を更に備え、
上記第１駆動信号と上記第２駆動信号は、１フレーム毎に映像データと黒データが交互に配置される信号であり、
上記第１駆動信号生成手段と上記第２駆動信号生成手段は、上記映像信号入力手段が受付けた映像信号の動作クロックの倍速で上記液晶パネルを駆動する駆動信号を生成する請求項１に記載の液晶表示装置。
【発明の詳細な説明】
【技術分野】
【０００１】
本発明は、液晶表示装置に関し、特に、前後両面に液晶パネルを配置され、各液晶パネルの間にバックライト装置が配置され、該バックライト装置が両液晶パネルの背面に光を放射し、各液晶パネルの表示面に映像を形成する液晶表示装置に関する。
【背景技術】
【０００２】
従来、透過型の第１液晶パネル及び第２液晶パネルを背面同士向い合せる形で配置し、前後両方向に光を取り出せるようにした直下型バックライトを両液晶パネルの中間に配置させ、バックライトが冷陰極管で構成されている場合、ランプイメージを消すために、第１拡散板及び第２拡散板をバックライトと第１液晶パネル及び第２液晶パネルの間に入れ、制御基板はバックライトから両液晶パネルへの光を遮断しないように配置した液晶表示装置が知られている（特許文献１参照）。
【０００３】
また、発光素子を有する複数の画素が設けられた発光装置の表裏を挟持するように、第１および第２の遮光用液晶装置が設けられ、前記第１および第２の遮光用液晶装置はそれぞれ、透過モードと遮光モードの２つのモードをとり、一方が透過モードの時、他方は遮光モードとなり、前記発光装置は両面発光型であり、映像信号に従って映像表示を行い、フレーム期間ごとに前記第１および第２の遮光用液晶装置が交互に透過モード、遮光モードをとり、表裏で独立した映像表示を可能とした表示装置の構成が知られている（特許文献２参照）。
【特許文献１】特開２０００−３３８４８３号公報
【特許文献２】特開２００４−１９９０３３号公報
【発明の開示】
【発明が解決しようとする課題】
【０００４】
しかしながら、上述した特許文献１の技術では、反対側の液晶パネルから入射する外光の映り込みを完全に防止できない。また、前述の特許文献２の技術は、自発光を前提としており、映像信号を上記発光装置に入力する１系統に統一するものの、液晶パネルの遮光／透光を制御する制御信号を新たに生成する必要がある。
【０００５】
本発明は、上記課題に鑑みてなされたもので、バックライト方式の液晶パネルを両面に備え、両液晶パネルのバックライトを共通化し、反対側の液晶パネルから入射する外光の映り込みを防止可能な液晶表示装置の提供を目的とする。
【課題を解決するための手段】
【０００６】
上記課題を解決するために、本発明の液晶表示装置では、前後両面に液晶パネルを配置され、各液晶パネルの間にバックライトが配置され、該バックライトが両液晶パネルの背面に光を照射し、各液晶パネルの表示面に映像を形成する液晶表示装置において、映像信号を入力する映像信号入力手段と、上記映像信号入力手段にて入力された映像信号に基づき、前面の液晶パネルを駆動するための第１駆動信号を生成する第１駆動信号生成手段と、上記映像信号入力手段にて入力された映像信号に基づき、後面の液晶パネルを駆動するための第２駆動信号を生成する第２駆動信号生成手段と、を備え、上記第１駆動信号と上記第２駆動信号は、一画面毎に映像データと黒データが交互に配置された信号であり、上記第１駆動信号において映像データが配置された期間は上記第２駆動信号に黒データが配置され、上記第１駆動信号において黒データが配置された期間は上記第２駆動信号に映像信号が配置される構成としてある。
【０００７】
上記映像信号入力手段は、液晶表示装置の内部で生成された映像信号もしくは外部から入力された映像信号を入力し、該入力された映像信号に基づいて、上記第１駆動信号生成手段が第１駆動信号を生成し、上記第２駆動信号生成手段が第２駆動信号を生成する。上記第１駆動信号や上記第２駆動信号は、上記映像信号に基づく映像を上記液晶パネルに表示させる映像データと、上記液晶パネルに上記映像信号に基づく映像を表示させずに黒（輝度０）を表示させる黒データと、を１画面毎に交互に配置した信号である。また、上記第１駆動信号で上記映像データが配置されている期間は上記第２駆動信号には上記黒データが配置されており、上記第１駆動信号で上記黒データが配置されている期間は上記第２駆動信号には上記映像データが配置されている。以上の構成によれば、バックライト方式の液晶パネルを両面に備え、両液晶パネルのバックライトを共通化し、反対側の液晶パネルから入射する外光の映り込みを防止可能な液晶表示装置が提供可能となる。
【０００８】
本発明の選択的な一側面として、上記第１駆動信号と上記第２駆動信号は、１フレーム毎に映像データと黒データが交互に配置される信号としたり、１フィールド毎に映像データと黒データが交互に配置される信号としたりしてもよい。すなわち、上記映像データと上記黒データの切換え単位として、１画面を全体的に描画できる１フィールド分の映像データや１フレーム分の映像データを採用できる。
【０００９】
本発明の選択的な一側面として、上記第１駆動信号生成手段と上記第２駆動信号生成手段は、上記映像信号入力手段が受付けた映像信号の動作クロックの倍速で上記液晶パネルを駆動する駆動信号を生成してもよい。すなわち、一画面毎に黒データ挿入期間を設けても、入力された映像信号の時間進行と各駆動信号における映像データの時間進行とが一致し、映像データの時間進行を調整するためのデータ加工（データ間引きやデータ補間等）が不要となる。
【００１０】
本発明の選択的な一側面として、上記第１の液晶パネルに映像表示する際は、上記第１駆動信号に含まれる１画面分の映像信号の輝度情報を取得し、該輝度情報に基づいて上記映像信号の輝度及びコントラストを調整し、該輝度情報に基づいて上記バックライトの輝度を調整し、第２の液晶パネルに上記映像表示する際は、上記第２駆動信号に含まれる１画面分の映像信号の輝度情報を取得し、該輝度情報に基づいて上記映像信号の輝度及びコントラストを調整し、該輝度情報に基づいて上記バックライトの輝度を調整する輝度調整手段を更に備える構成としてもよい。例えば、画面全体が低輝度の映像表示する場合は、バックライト輝度を低下させて低輝度側のコントラストを向上させ、画面全体が高輝度の映像表示する場合はバックライト輝度を上昇させて高輝度側のコントラストを向上させる。そしてバックライト輝度の上下動に合わせて、映像信号の輝度やコントラストを調整することにより、鮮やかな黒表示や白表示を実現する。
【発明の効果】
【００１１】
以上説明したように本発明によれば、バックライト方式の液晶パネルを両面に備え、両液晶パネルのバックライトを共通化し、反対側の液晶パネルから入射する外光の映り込みを防止可能な液晶表示装置を提供することができる。
また請求項２〜４にかかる発明によれば、反対側の液晶パネルから入射する外光の映り込みを防止しつつ、映像の連続性を実現しやすくなる。
そして請求項５にかかる発明によれば、バックライト方式の液晶パネルを両面に備え、両液晶パネルのバックライトを共通化し、反対側の液晶パネルから入射する外光の映り込みを防止しつつ、鮮やかな黒や白を表現可能な液晶表示装置を提供可能となる。
さらに請求項６のような、より具体的な構成において、上述した各作用効果を奏することはいうまでもない。
【発明を実施するための最良の形態】
【００１２】
以下、下記の順序に従って本発明の実施形態を説明する。
（１）液晶表示装置の構成：
（２）液晶パネルの駆動：
（３）変形例：
（４）まとめ：
【００１３】
（１）液晶表示装置の構成：
図１は本発明の一実施形態に係る液晶表示装置１００の正面図と背面図である。同図に示すように、液晶表示装置１００は、キャビネットＣの前後両面に矩形の開口を有し、前面の開口から第１の液晶パネル１０ａの表示面を露出し、背面の開口から第２の液晶パネル１０ｂの表示面を露出している。キャビネットＣは、液晶パネルの表示面が略垂直に配向するようにスタンドＳで支持されている。
【００１４】
第１の液晶パネル１０ａと第２の液晶パネル１０ｂの表示面には各々映像が表示される。本実施形態においては、各表示面には同一の映像を表示させる。各表示面に同一の映像を表示させると、液晶表示装置１００を視聴できる周囲角度が通常の倍になる。表示面が一面の映像表示装置であれば、通常、背面を壁に向けて配置されることが多いが、本発明の液晶表示装置であれば、店頭で宣伝画像を表示させる際に店の中央に配置して映像表示装置一台当りの宣伝効果が高めることができる。
【００１５】
図２は液晶表示装置１００の概略の電気的構成を示すブロック図である。同図において、液晶表示装置１００は、映像信号や音声信号が入力される入力端子１９と、入力された映像信号に各種映像処理を行う映像処理部１１と、入力された映像信号に基づいて液晶パネルを駆動するための駆動信号を生成する第１の駆動回路１２ａと、第１の駆動回路１２ａの出力する液晶パネル駆動信号によって各液晶セルの開口率を制御される第１の液晶パネル１０ａと、入力された映像信号に基づいて液晶パネルを駆動するための駆動信号を生成する第２の駆動回路１２ｂと、第２の駆動回路１２ｂの出力する液晶パネル駆動信号によって各液晶セルの開口率を制御される第２の液晶パネル１０ｂと、入力された音声信号の周波数特性や信号強度を制御する音声処理部１５と、音声信号に基づいて音声を再生するスピーカ１６と、第１の液晶パネル１０ａ及び第２の液晶パネル１０ｂの間に配置されて両液晶パネルの背面から光を照射するバックライト１７と、バックライト１７に電源電圧を供給して該バックライトを点灯させるインバータ回路１８と、各種電源電圧を生成して液晶表示装置の各部に供給する電源回路２０と、液晶表示装置を制御する制御回路１３と、を備える。
【００１６】
なお、図２には、以下の説明に不要な構成および接続関係は省略して記載してある。また入力端子１９にチューナ機能を備えさせ、テレビ放送信号から所定の周波数帯の放送信号を抽出して中間周波信号等に変換した信号を映像処理部１１に出力する構成であっても構わない。
【００１７】
図２の構成において、映像処理部１１は、入力端子１９から入力された映像信号に各種映像処理を施す。より具体的には、映像処理部１１は、入力された映像信号をその信号レベルに応じてデジタル化し、映像信号から抽出した輝度信号と色差信号とに基づいてマトリクス変換処理を行い、画像データとしてのＲＧＢ（レッド、グリーン、ブルー）信号を生成する。そして、映像処理部１１は、生成されたＲＧＢ信号に対して第１および第２の液晶パネル１０ｂ，１０ｂの画素数（横縦比、ｍ：ｎ）に合わせたスケーリング処理を行い、第１および第２の液晶パネル１０ｂ，１０ｂに表示する１画面分の画像データを生成する。生成された画像データは、第１の駆動回路１２ａおよび第２の駆動回路１２ｂに出力される。本実施形態においては、第１の液晶パネル１０ａと第２の液晶パネル１０ｂの画素数は同一とする。
【００１８】
第１の駆動回路１２ａと第２の駆動回路１２ｂは、下に詳述するが、出力するデータ信号Ｄａｔａ’１，Ｄａｔａ’２を除いて同一の構成，同一の動作をする。図３は、第１の駆動回路１２ａと第２の駆動回路１２ｂに共通の構成を示してある。なお、図３では、各駆動回路や各液晶パネルを区別する符号（ａ，ｂ）を省いて示してある。同図において、駆動回路１２は、ゲートドライバ５１とデータドライバ５２とゲート電源５３とを備えている。ゲートドライバ５１とデータドライバ５２は、映像処理部１１内のコントローラ５０により制御される。コントローラ５０には、映像信号Ｄａｔａと、データ転送クロックＤＴＣＫと、垂直同期信号Ｖｓｙｎと、水平同期信号Ｈｓｙｎと、データイネーブル信号ＤＥＮＢとが入力されている。
【００１９】
コントローラ５０は、入力された各種信号に基づき、ゲートスタートパルスＧＳＰと、ゲートクロックＧＣＫと、データスタートパルスＤＳＰと、データクロックＤＣＫと、データ信号Ｄａｔａ’を生成する。コントローラ５０で生成されたゲートスタートパルスＧＳＰとゲートクロックＧＣＫはゲートドライバ５１に出力され、コントローラ５０で生成されたデータスタートパルスＤＳＰとデータクロックＤＣＫとデータ信号Ｄａｔａ’はデータドライバ５２に出力される。
【００２０】
またコントローラ５０は、階調電源に極性信号ＰＯＬを制御信号として出力し、デジタルデータを電圧に変換する際の基準電圧（階調電圧Ｖｎ）を発生させる。階調電圧Ｖｎは、液晶に印加する電圧を決定する電圧（すなわち階調値に対応する電圧）であり、データドライバ５２に供給される。ゲート電源５３はゲートドライバ５１に出力電圧ＶＧＨ、ＶＧＬを供給する。
【００２１】
ゲートドライバ５１は、シフトレジスタとレベル変換器を備えており、ゲートクロックの立ち上がりでゲートスタートパルスＧＳＰを取込、立ち下がりでシフトレジスタの先頭ビットに１を立てる。以下、ＧＣＫの立ち上がり毎に１をシフトしていく。シフトレジスタの各ビットはレベル変換器を介してゲートドライバ５１の各出力端子から出力されている。シフトレジスタのビットの論理値が１のときは、高電位のＶＧＨが、０の時は低電位のＶＧＬが出力される。
【００２２】
さらに、本実施形態においては、上記構成に加え、入力信号の１フィールド又は１フレーム毎の画面毎の輝度の最大値、最小値、平均値等を求める輝度検知回路１４を備えてもよい。輝度検知回路１４は、求めた輝度値を制御回路１３に出力する。
【００２３】
図４は、図１の液晶表示装置１００をＡ−Ａ断面に沿って切断して示した断面図である。同図に示すように、液晶表示装置１００において、液晶パネル１０ａと液晶パネル１０ｂは、各表示面を外に向け、表示面を略平行にし、パネル間に所定の間隔を空けて背面を向い合せ、表示面の上下左右位置を略一致させて配置される。なお、各液晶パネルの背面に略密着して、調光シート（光を拡散させる拡散シート、拡散シートで拡散させた光を液晶パネル背面に集めるレンズシート、偏光板等）が配置されている。これら液晶パネルの間に、バックライトが配置される。
【００２４】
図５は、液晶表示装置１００のキャビネットＣやスタンドＳを取外し、バックライト１７と液晶パネル１０ａ，１０ｂ、それにインバータ回路基板Ｂ１と映像音声処理基板Ｂ２と駆動回路基板Ｂ３〜Ｂ６を、分解して示した斜視図である。同図において、バックライト１７は、概略、Ｕ字型蛍光管１７ａ１〜１７ａ３を備える。Ｕ字型蛍光管とは、一本の放電管を略半分で屈曲させ、一端に２つの電極が並ぶように作成された放電管である。
【００２５】
スタンドＳの内部には、インバータ回路基板Ｂ１と映像音声処理基板Ｂ２とが配置されている。本実施形態においては、アナログ映像音声信号の入力を想定した基板構成を記載しており、図５においては、映像音声処理基板Ｂ２は、映像音声入力端子が配置され、アナログ映像信号処理とアナログ音声信号処理を担当するアナログ基板と、入力されたアナログ映像信号をＡ／Ｄ変換してデジタル映像信号処理を行うデジタル基板とに分けてある。デジタル基板は、液晶パネルを駆動する上記コントローラ５０としての機能も搭載されている。デジタル基板から出力される制御信号（データスタートパルス（ＤＳＰ）、データクロック（ＤＣＫ）、ゲートスタートパルス（ＧＳＰ）、ゲートクロック（ＧＣＫ））とデータ信号は、ＬＶＤＳ（Low voltage differential signaling）等のデジタル高周波伝送ケーブルで駆動回路に伝送される。
【００２６】
前述したように本実施形態における駆動回路は、第１の液晶パネル１０ａを駆動する第１の駆動回路１２ａと、第２の液晶パネル１０ｂを駆動する第２の駆動回路１２ｂとを備える。第１の駆動回路１２ａは、データドライバ５２ａとゲートドライバ５１ａを備えており、データドライバ５２ａは駆動回路基板Ｂ３に搭載されて第１の液晶パネル１０ａの下面に配置され、ゲートドライバ５１ａは駆動回路基板Ｂ４に搭載されて第１の液晶パネル１０ａの左右側面の何れか一方に配置される。一方、第２の駆動回路１２ｂも、データドライバ５２ｂとゲートドライバ５１ｂを備えており、データドライバ５２ｂは駆動回路基板Ｂ５に搭載されて第２の液晶パネル１０ｂの下面に配置され、ゲートドライバ５１ｂは駆動回路基板Ｂ６に搭載されて第２の液晶パネル１０ｂの左右側面の何れか一方に配置される。
【００２７】
上記デジタル基板からは、２本のＬＶＤＳケーブルが導出されており、各ＬＶＤＳケーブルは、駆動回路基板Ｂ３と駆動回路基板Ｂ５にそれぞれ接続されている。駆動回路基板Ｂ３と駆動回路基板Ｂ４、駆動回路基板Ｂ５と駆動回路基板Ｂ６は、それぞれデジタル高周波伝送ケーブルで接続されている。コントローラ５０で生成された各種制御信号とデータ信号Ｄａｔａ’は、ＬＶＤＳを通して駆動回路基板Ｂ３と駆動回路基板Ｂ５にそれぞれ入力され、制御信号のうちゲートドライバに必要なゲートスタートパルス（ＧＳＰ）、ゲートクロック（ＧＣＫ）はそこから更に、駆動回路基板Ｂ４と駆動回路基板Ｂ６にそれぞれ伝送される。
【００２８】
上記映像音声処理基板Ｂ２には、電源回路２０も搭載されている。インバータ回路基板Ｂ１は、電源回路２０から電源電圧を供給され、該電源電圧から高周波交流電圧を生成し、インバータハーネスを介して各Ｕ字型蛍光管に供給する。なお、本実施形態では、インバータ回路基板Ｂ１をスタンドＳ内部に配置したが、インバータ回路基板Ｂ１は、キャビネットＣ内部に配置してもよい。例えば、Ｕ字型蛍光管１７ａ１〜１７ａ３の電極端側に配置すると、インバータ回路基板Ｂ１とＵ字型蛍光管１７ａ１〜１７ａ３とを接続するインバータハーネス長の短縮によりコスト削減可能であり、且つ、ハーネス長不均一に起因するチラツキを防止しやすくなる。
【００２９】
（２）液晶パネルの駆動：
次に、図６のタイミングチャートを参照して、各駆動回路の動作について説明する。図６は、各駆動回路に入出力される各種信号（映像信号と同期信号とクロック信号、それに各駆動回路で作成される駆動信号）のタイミングチャートである。同図には、６４０画素（横）×４８０画素（縦）の液晶パネルに入力される信号を例にとって示してあるが、本発明の適用対象となる液晶パネルは、この画素数に限定されない。
【００３０】
コントローラ５０に入力された映像信号Ｄａｔａには、垂直同期信号で規定される垂直期間に４８０個の行データが行番号の昇順に挿入されている。この垂直期間に挿入された４８０個の行データが、１画面分のデータを構成する。各行データは、水平同期信号で規定される水平期間に挿入されており、列番号の昇順に６４０画素のデータが配置されている。コントローラ５０に入力されるデータ転送クロックＤＴＣＫのクロック立ち下がりは、これら行データ内の画素データの発生タイミングと同期されている。  
【００３１】
一方、コントローラ５０から出力される各種信号は、コントローラ５０に入力された信号の倍速で出力される。すなわち、データクロックＤＣＫは、データ転送クロックＤＴＣＫの発生間隔をｔ１秒とすると、ｔ１／２秒間隔のクロック信号として生成され、ゲートクロックＧＣＫは、水平期間をｔ２秒とすると、ｔ２／２秒間隔のクロック信号として生成される。
同様に映像信号も倍速に変換される。すなわち、コントローラ５０から出力されるデータ信号Ｄａｔａ’は、各画素・各行のデータ発生期間を半分に圧縮されることになり、１垂直期間に２画面分のデータ信号が記載可能となる。
【００３２】
そこで、第１の駆動回路１２ａから出力されるデータ信号Ｄａｔａ’１は、上記データ発生期間を１／２に圧縮したデータ信号を前半に挿入し、後半には輝度０の黒画面信号を挿入する。これに対し、第２の駆動回路に出力されるデータ信号Ｄａｔａ’２は、前半に輝度０の黒画面信号を挿入し、後半に上記データ発生期間を１／２に圧縮したデータ信号を挿入する。
すなわち、第１の駆動回路１２ａに出力されるデータ信号Ｄａｔａ’１において映像信号が挿入される期間と、第２の駆動回路１２ｂに出力されるデータ信号Ｄａｔａ’２において映像信号が挿入される期間とが、重複しないように映像信号と黒信号とが配置される。
【００３３】
また、データ信号Ｄａｔａ’１，Ｄａｔａ’２に合わせて、ゲートスタートパルスＧＳＰとデータスタートパルスＤＳＰも倍速に変換される。すなわちゲートスタートパルスＧＳＰは、１垂直期間内に含まれる２画面分のデータ信号の先頭にパルス形成されるように作成され、データスタートパルスＤＳＰは、１画面目、２画面目双方の各行データの先頭と合わせてパルスが発生するように作成される。
【００３４】
以上のように構成された液晶表示装置１００は、従来の液晶パネルの駆動速度の倍速で駆動され、従来の１垂直期間の前半では、第１の液晶パネル１０ａに映像表示しつつ第２の液晶パネル１０ｂに黒画像が表示し、従来の１垂直期間の後半では、第１の液晶パネル１０ａに黒画像が表示しつつ第２の液晶パネル１０ｂには映像表示する。よって、一方の液晶パネルから入射する外光による、他方の液晶パネルへの影響を排除できる。なお、本実施形態においては、倍速駆動について説明したが、無論、４倍速や８倍速等の高速駆動を行ってもよい。２倍以上の高速駆動を行う場合、各データ信号は、交互に映像信号と黒信号とが配置され、第１の液晶パネル１０ａを駆動するデータドライバと第２の液晶パネル１０ｂを駆動するデータ信号とで、映像信号と黒信号が互い違いに配置されていれば良い。
【００３５】
（３）変形例：
前述した実施形態では、第１の液晶パネル１０ａと第２の液晶パネル１０ｂとに同一の映像表示を行う例について示したが、異なる映像表示を行っても構わない。図７は各液晶パネルに異なる映像表示を行う液晶表示装置２００の構成例を示したブロック図である。同図において、図２と共通する構成は、同一の符号を付して示し、音声処理部とスピーカについては記載を省略してある。図７において、液晶表示装置２００は、入力端子１９ａと入力端子１９ｂと、映像処理部１１ａと映像処理部１１ｂと、第１の駆動回路１２ａと第２の駆動回路１２ｂと、第１の液晶パネル１０ａと第２の液晶パネル１０ｂと、第１の音声処理部１５ａと第２の音声処理部１５ｂと、スピーカ１６ａとスピーカ１６ｂと、バックライト１７と、インバータ回路１８と、電源回路２０とを備える。なお、本変形例においては、各液晶パネルで表示する映像が異なるため、輝度検知回路１４や、輝度検知回路１４の検知した輝度情報に基づく制御を行う制御回路１３は不要となる。
【００３６】
図７の構成において、映像処理部１１ａは、入力端子１９ａから入力された映像信号に各種映像処理を施し、映像処理後の画像データを第１の駆動回路１２ａに出力する。一方、映像処理部１１ｂは、入力端子１９ｂから入力された映像信号に各種映像処理を施し、映像処理後の画像データを第２の駆動回路１２ｂに出力する。
【００３７】
第１の駆動回路１２ａと第２の駆動回路１２ｂは、図３の構成を有しており、第１の駆動回路１２ａは、映像処理部１１ａから入力された映像信号を倍速駆動し、１垂直期間の前半に映像信号を挿入し、１垂直期間の後半に黒信号を挿入する。第２の駆動回路は、映像処理部１１ｂから入力された映像信号を倍速駆動し、１垂直期間の前半に映像信号を挿入し、１垂直期間の後半に黒信号を挿入する。その他の信号については前述した実施形態と同様である。以上のように生成された制御信号とデータ信号に基づいてデータドライバとゲートドライバが各液晶パネルを駆動する。よって、反対側の液晶パネルからの外光の映り込みを防止しつつ、各液晶パネルに異なる映像が表示される。
【００３８】
（４）まとめ： 
以上説明したように、上記実施形態においては、両面型の液晶表示装置１００において、内部若しくは外部から入力された映像信号を受付ける映像信号入力手段と、上記映像信号入力手段が受付けた映像信号に基づき、前面の液晶パネルを駆動するための第１駆動信号を生成する第１駆動信号生成手段と、上記映像信号入力手段が受付けた映像信号に基づき、後面の液晶パネルを駆動するための第２駆動信号を生成する第２駆動信号生成手段と、を備え、上記第１駆動信号と上記第２駆動信号は、映像データと黒データが交互に配置された信号であり、上記第１駆動信号と上記第２駆動信号とでは、映像データと黒データの配置されるタイミングが互いに逆である。よって、バックライト方式の液晶パネルを両面に備え、両液晶パネルのバックライトを共通化し、反対側の液晶パネルから入射する外光の映り込みを防止可能な液晶表示装置を提供可能となる。
【００３９】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４０】
【図１】液晶表示装置の正面図と背面図である。
【図２】液晶表示装置の概略の電気的構成を示すブロック図である。
【図３】駆動回路の構成を示すブロック図である。
【図４】図１の液晶表示装置をＡ−Ａ断面で切断した断面図である。
【図５】液晶表示装置の分解斜視図である。
【図６】各駆動回路に入出力される各種信号のタイミングチャートである。
【図７】変形例に係る液晶表示装置の構成例を示したブロック図である。
【符号の説明】
【００４１】
１０ａ…第１の液晶パネル、１０ｂ…第２の液晶パネル、１１…映像処理部、１２ａ…第１の駆動回路、１２ｂ…第２の駆動回路、１３…制御回路、１４…輝度検知回路、１５…音声処理部、１６…スピーカ、１７…バックライト、１８…インバータ回路、１９…入力端子、２０…電源回路、５０…コントローラ、５１…ゲートドライバ、５２…データドライバ、１００…液晶表示装置、Ｃ…キャビネット、Ｓ…スタンド
【図１】
2009300583.tif 000003
【図２】
2009300583.tif 000004
【図３】
2009300583.tif 000005
【図４】
2009300583.tif 000006
【図５】
2009300583.tif 000007
【図６】
2009300583.tif 000008
【図７】
2009300583.tif 000009